(57)【要約】      （修正有）【課題】紙容器の傾斜する頂面の開口予定部に熱可塑性樹脂で成るキャップを確実に安定して固着するキャップアプリケーターの技術を提供する。【解決手段】キャップアプリケーター４は紙容器本体２を搬送コンベヤー６で搬送する途中に、キャップ３を取付けて成る紙容器１を形成するためのキャップ供給部７を備える。搬送コンベヤー６の集積コンベヤー６ａと搬送コンベヤー６ｃは角度αで傾斜し、易破断部Ｇが形成された頂面２ｂの傾斜面２ｄを水平にして紙容器２を搬送する。キャップ供給部７でキャップ３は円形のキャップ供給テーブル７ｃの周縁部の供給ポケット７ｄに移送され、紙容器本体２がキャップ取付位置１１を通過するタイミングでキャップ取付手段１２によって供給ポケット７ｄから把持したキャップ３の下面をマイクロフレーム等で溶融して垂直下方に移動し、紙容器本体２の開口予定部である易破断部Ｇとその頂面周縁Ｇ１に溶着する。【選択図】図１
2011184092.tif 000002
【特許請求の範囲】
【請求項１】
紙容器の紙容器本体に内容液を注出するキャップを取付けるキャップアプリケーターであって、
前記紙容器本体は矩形の底面と側面と屋根形状の頂面とで形成され、前記頂面に内容液注出用の易破断部を備え、
前記キャップは開口手段を内装する注出部と蓋部から成り、前記紙容器本体に内容液を充填した後に、前記注出部が前記易破断部を覆って前記易破断部とその周囲の前記頂面に固着され、
前記キャップアプリケーターは前記易破断部を備える前記頂面が水平となるように前記紙容器本体を傾斜して搬送する搬送コンベヤーと、前記キャップを垂直に供給する供給装置と、を備えることを特徴とするキャップアプリケーター。
【請求項２】
請求項１に記載のキャップアプリケーターであって、前記搬送コンベヤーは前記易破断部を備える前記頂面を水平に保つ自動傾斜装置を備えることを特徴とするキャップアプリケーター。
【請求項３】
請求項１又は請求項２に記載のキャップアプリケーターであって、前記紙容器本体は帯状包材から連続的に切断した矩形シートを前記帯状包材に備える折り目線を介して縦線シールで筒状に折り曲げて四側面と水平底面を形成し、内容液を充填の後、一対の三角面と一対の台形面から成る外観屋根形状の頂面で密封形成し、一方の前記台形面に前記易破断部を備えることを特徴とするキャップアプリケーター。
【請求項４】
請求項１又は請求項２に記載のキャップアプリケーターであって、前記紙容器本体は帯状包材を縦線シールで筒状にして内容液を充填し、一対の横線シールで密封且つ切断して連続的に原型容器を形成し、この原型容器に四側面と水平底面と矩形の斜面を備える頂面を形成して成ることを特徴とするキャップアプリケーター。
【発明の詳細な説明】
【技術分野】
【０００１】
本発明は内容液を充填した紙容器に取付ける開口手段付のキャップのアプリケーターに関し、詳しくは、開口手段付のキャップを紙容器の開口予定部に安定して取付けることのできるキャップアプリケーターに関する。
【背景技術】
【０００２】
従来、牛乳、清涼飲料等の液体食品を充填する紙容器本体にキャップを備えて成るキャップ付紙容器に関する従来技術として特許文献１に掲載の内容が知られている。図９に示すように、キャップ付紙容器５０は屋根型の頂面５０ｂにキャップ５１を備え、キャップ５１はフランジ部５１ａと図示しない開口手段を内装する注出部５１ｂと蓋部５１ｃから成る。キャップ付紙容器５０の製造工程は、図示しない矩形板状紙を矩形筒状に形成するとともに底面５０ａが形成され、キャップ５１を頂面５０ｂの開口部５０ｃに内側から外側に向けて差し込み、フランジ部５１ａを頂面５０ｂの内面に固着した後に内容液を上方から注入して、頂面５０ｂを屋根型形状に密封してキャップ付紙容器５０が形成される。
【０００３】
ところが、内容液を注入し頂面５０ｂを密封形成した後に開口手段付のキャップ５１を頂面５０ｂに外側から接着してキャップ付紙容器５０を形成する場合がある。この場合、コンベヤーで屋根型紙容器を直立して搬送しながら傾斜する頂面５０ｂにキャップ５１を斜め下方に供給することになるので、キャップ５１の取付位置がずれやすいため、稀であるが、注出部５１ａに内装する開口手段で頂面５０ｂの開口予定部を確実に開口することができない。
【先行技術文献】
【特許文献】
【０００４】
【特許文献１】特開２００８−１８９７１号公報
【発明の概要】
【発明が解決しようとする課題】
【０００５】
本発明はかかる従来技術に鑑みなされたものであって、紙容器の傾斜する頂面の開口予定部に熱可塑性樹脂で成る開口手段付のキャップを安定して確実に固着することのできるキャップアプリケーターを提供することを目的とする。
【課題を解決するための手段】
【０００６】
この発明は、紙容器の紙容器本体に内容液を注出するキャップを取付けるキャップアプリケーターであって、紙容器本体は矩形の底面と側面と屋根形状の頂面とで形成され、頂面に内容液注出用の易破断部を備える。そして、キャップは開口手段を内装する注出部と蓋部から成り、紙容器本体に内容液を充填した後に、注出部が易破断部を覆って易破断部とその周囲の頂面に固着される。このとき、キャップアプリケーターは易破断部を備える頂面が水平となるように紙容器本体を傾斜して搬送する搬送コンベヤーと、キャップを垂直に供給する供給装置と、を備える。
【０００７】
この発明の好ましい態様のキャップアプリケーターでは、搬送コンベヤーは易破断部を備える頂面を水平に保つ自動傾斜装置を備える。
【０００８】
この発明の好ましい態様のキャップアプリケーターでは、紙容器本体は帯状包材から連続的に切断した矩形シートを帯状包材に備える折り目線を介して縦線シールで筒状に折り曲げて四側面と水平底面を形成し、内容液を充填の後、一対の三角面と一対の台形面から成る外観屋根形状の頂面で密封形成し、一方の台形面に易破断部を備える。
【０００９】
この発明の好ましい態様のキャップアプリケーターでは、紙容器本体は帯状包材を縦線シールで筒状にして内容液を充填し、一対の横線シールで密封且つ切断して連続的に原型容器を形成し、この原型容器に四側面と水平底面と矩形斜面を備える頂面が形成され、矩形斜面に易破断部を備える。
【発明の効果】
【００１０】
この発明によれば、キャップアプリケーターは易破断部を備える頂面が水平となるように紙容器本体を傾斜して搬送する搬送コンベヤーと、キャップを垂直に供給する供給装置と、を備えるので、キャップを易破断部に固着する際に、キャップを一次元的に垂直下降するだけで易破断部に宛がうことができる。このため、キャップを安定して予定位置に確実且つ容易に貼付けできるのでキャップのシール強度が損なわれることなく紙容器の品質性が向上し、易破断部を確実に開口することができるので紙容器の商品価値を確実に保持することができる。
【００１１】
好ましい態様によれば、搬送コンベヤーは易破断部を備える頂面を水平に保つ自動傾斜装置を備えるので、製造中における紙容器本体の易破断部を備える頂面の水平面の僅かな誤差が発生しても、フィードバックによって頂面が水平になるように搬送コンベヤーの傾斜を自動調整できるので、上記の効果を確実に安定して得ることができる。
【００１２】
好ましい態様によれば、帯状包材から連続的に切断した矩形シートを帯状包材に備える折り目線を介して縦線シールで筒状に折り曲げて四側面と水平底面を形成し、内容液を充填の後、一対の三角面と一対の台形面から成る外観屋根形状の頂面で密封形成し、一方の台形面に易破断部を備える紙容器本体に対して、上記の効果が確実に得られる。
【００１３】
好ましい態様によれば、紙容器本体は帯状包材を縦線シールで筒状にして内容液を充填し、一対の横線シールで密封且つ切断して連続的に原型容器を形成し、この原型容器に四側面と水平底面と矩形の斜面を備える頂面を形成して成る紙容器本体に対して、上記の効果が確実に得られる。
【図面の簡単な説明】
【００１４】
【図１】本発明の第一の実施形態における、キャップアプリケーター４の外観図で、紙容器本体２の易破断部Ｇにキャップ３を取付けて紙容器１を形成する状態を示す斜視図である。
【図２】本発明の第一の実施形態における、内容液が充填された状態の紙容器本体２の形状を示す斜視図である。
【図３】本発明の第一の実施形態における、図２のＡ−Ａ断面図である。
【図４】本発明の第一の実施形態における、図１のＢ−Ｂ断面図で紙容器本体２の易破断部Ｇにキャップ３を取付けて紙容器１を形成する状態を示す断面図である。
【図５】本発明の第一の実施形態における、図１の紙容器本体２の易破断部Ｇにキャップ３を取付けた状態の紙容器１の斜視図である。
【図６】本発明の第一の実施形態における、易破断部Ｇに取付けたキャップ３の状態を示す断面図である。
【図７】本発明の第二の実施形態における、紙容器本体２７に内容液が充填されて成る紙容器２６の形状を示す斜視図である。
【図８】本発明の第二の実施形態における、（ａ）は帯状包材２２を縦線シール２３で筒状にした後に、横線シール２４で原型容器２５を形成した状態を示す斜視図、（ｂ）は原型容器２５を折込んで底面２１ｅと頂面２１ｇを形成する状態を示す斜視図である。
【図９】従来例における、キャップ付紙容器５０の頂面５０ｂにキャップ５１のフランジ部５１ａを容器内面側から固着した状態を示す斜視図である。
【発明を実施するための形態】
【００１５】
＜本発明の実施形態＞
以下に、本発明の第一の実施形態を図１〜図６に基づいて説明する。
【００１６】
＜キャップアプリケーターの構成＞
図１、図２、図３、図４、図５に示すように、紙容器１は紙容器本体２にキャップ３を備えて形成され、キャップアプリケーター４は紙容器本体２を供給する供給コンベヤー５と、紙容器本体２を搬送コンベヤー６で搬送しながら紙容器本体２にキャップ３を取付けるキャップ供給部７と、キャップ３を取付けた状態の紙容器１を排出する排出コンベヤー８とで構成される。
【００１７】
まず、紙容器本体２の製造工程を説明する。図示しない充填機において、紙容器本体２を成型容易とするための複数の折り目Ｐと内容液注出用の易破断部Ｇを備える帯状包材が、紙容器本体２を形成するために矩形シート状に連続切断され、各矩形シートを縦シールＨ１で矩形筒状にする一方で下端部を横シールＨ２して矩形の底面２ａを形成する。そして、上方から内容液Ｒを充填した後に上端部を図示しない折曲げシールによって一対の三角面２ｃと一対の台形面２ｄで成る変形切妻屋根形状の頂面２ｂが形成され、正面側の台形面２ｄに易破断部Ｇを備える。
【００１８】
紙容器本体２は外側から内側に、外側層Ｈ１、紙基材Ｈ２、接着層Ｈ３、バリヤー層Ｈ４、二層の内側層Ｈ５から成る。紙基材Ｈ２の外側面に予めデザイン等Ｈ６が印刷される。外側層Ｈ１、内側層Ｈ５は低密度ポリエチレン樹脂、接着層Ｈ３はポリエチレン、エチレン共重合体等の樹脂、バリヤー層Ｈ４はアルミ箔等でそれぞれ形成される。開口予定部としての易破断部Ｇは開口容易とするために紙基材Ｈ２が円形状に切り抜かれる以外はその他の構成と同じである。
【００１９】
キャップ供給部７の搬送コンベヤー６は、各紙容器本体２を隙間なく集める集積コンベヤー６ａと、紙容器本体２を等間隔にするピッチ調整コンベヤー６ｂと、紙容器本体２及び紙容器１を等間隔で搬送する搬送コンベヤー６ｃとで構成される。ここで、集積コンベヤー６ａと搬送コンベヤー６ｃは同じ角度αで傾斜して水平一直線状に配列され、角度αは紙容器本体２の頂面２ｂの易破断部Ｇが形成された傾斜面２ｄを水平にする角度である。
【００２０】
ピッチ調整コンベヤー６ｂは集積コンベヤー６ａと搬送コンベヤー６ｃの裏側に跨って設けられ、ピッチ調整ベルト６ｂを制御することで紙容器本体２を搬送コンベヤー６ｃに所定の等ピッチで送り出すことができる。
【００２１】
供給コンベヤー５と集積コンベヤー６ａの隙間に直立の紙容器本体２を傾斜させる傾斜コンベヤー部９を備え、搬送コンベヤー６ｃと排出コンベヤー８の隙間に傾斜した紙容器１を直立させる起立コンベヤー１０を備える。
【００２２】
キャップ供給部７において、詳細説明しない動力によって、キャップフィーダー７ａに収納されたキャップ３は凹状フィーダー７ｂでキャップフィーダー７ａの縁部を周回しながら整列して、円形のキャップ供給テーブル７ｃの周縁部に等間隔で設けられる供給ポケット７ｄに逐次供給される。
【００２３】
キャップ供給テーブル７ｃは水平面で間欠回転しながら、紙容器本体２が搬送コンベヤー６ｃのキャップ取付位置１１を通過するタイミングに合わせて、昇降式の詳細図示しないキャップ取付手段１２によって当該供給ポケット７ｄからキャップ３を受取り、キャップ３の下面をマイクロフレーム等で溶融した状態で、キャップ３を垂直下方に移動して紙容器本体２の易破断部Ｇとその頂面周縁Ｇ１に圧接して溶着する。
【００２４】
このとき、キャップ３は間欠回転する供給テーブル７ｃが一時停止するタイミングに合わせて隣接する二組の供給ポケット７ｄの隙間Ｓを通過できるので、キャップ取付手段１２はキャップ３を把持した状態で容易に下方移動し、キャップ３の無い状態で上方移動できる。
【００２５】
易破断部Ｇにキャップ３が固着された紙容器１は搬送コンベヤー６ｃから排出コンベヤー８に移送される。また、空になった供給ポケット７ｄにはキャップ供給テーブル７ｃの回転に伴って連続的にキャップ３が供給される。
【００２６】
より詳しくは、搬送コンベヤー６ｃは直角に連結する保持部６ｄを備え、水平に対して傾斜角度αで紙容器１と紙容器本体２の一側面２ｅと底面２ａを下方から保持すると同時に、上方の一側面２ｆに沿って一対のガイドレール６ｄを備えるので、紙容器１と紙容器本体２を安定して搬送することができる。なお、底面２ａを下方から保持する搬送コンベヤー６ｃの保持部６ｄは流れ方向に連続的に等分割されているので矢印Ｗで示すよう回転して紙容器１と紙容器本体２を連続搬送できる。
【００２７】
このように、搬送コンベヤー６ｃを所定の傾斜角度αに保持した状態で、キャップ３を矢印Ｋで示すように下方向への一次元動作によって易破断部Ｇに支給できるので、キャップ３は安定して水平状態の易破断部Ｇの所定位置に確実に固着できる。
【００２８】
なお、集積コンベヤー６ａと搬送コンベヤー６ｃは易破断部Ｇが形成された頂面２ｂの傾斜面２ｄを常に水平にするため図示しない傾斜調整装置を備える。傾斜調整装置はイメージセンサー等で傾斜面２ｄを監視し、そのデーターをフィードバックすることで集積コンベヤー６ａと搬送コンベヤー６ｃを所定の傾斜角度αに保持するように電動或いは空圧のアクチュエーターで適宜調整される。
【００２９】
図６に示すように、キャップ３は円筒形状の注出部３ａの基部３ｃの外周にフランジ部３ｄが一体形成され、注出部３ａに蓋部３ｂが螺合する。注出部３ａの内部に収納される開口手段Ｆとしてのプルリング３ｅ付のプルタブ３ｆは基部３ｃの内縁側と薄肉部３ｇで連結し、プルリング３ｅを引き上げることで薄肉部３ｇが容易に開口できる。キャップ３は樹脂成形されるので、上記、キャップ３はマイクロフレーム等でフランジ部３ｄと基部３ｃと底部３ｆの表面を溶融した状態で易破断部Ｇとその頂面周縁Ｇ１に溶着する。
【００３０】
＜キャップ付紙容器の作用＞
キャップ供給部７は既存装置を転用できるので安価な製作費用で賄える。搬送コンベヤー６は簡素な構造で確実且つ容易に所定の傾斜角度αに調整できる。そして、キャップを上下方向だけの一次元動作によって支給できるのでキャップは安定して易破断部の所定位置に垂直に支給されて水平状態の易破断部の所定位置にずれることがなく確実に固着できる。このため、プルリングを引き離すことで易破断部が確実且つ容易に開口できてジュース等の内容液を注ぎ出すことができるので商品価値を高めることができる。
＜本発明の第二の実施形態＞
【００３１】
本発明の第二の実施形態を図７、図８（ａ）、（ｂ）に基づいて説明するが、図６と同様の構成に関しては同符号を用いて重複する説明を省く。
【００３２】
図７、図８（ａ）、（ｂ）に示すように、図示しない充填機において、易破断部Ｇを備える帯状包材２２を縦線シール２３で筒状にして内容液を充填し、一対の横線シール２４で密封且つ切断して連続的に原型容器２５を形成する。次に、帯状包材２２に備える折り目線Ｙを介して原型容器２５の一対の横線シール２４の両端部を折り曲げて四側面２１ａ、２１ｂ、２１ｃ、２１ｄと水平底面２１ｅと、矩形の斜面２１ｆと水平な横線シール２４を備える頂面２１ｇとを形成して紙容器本体２６が形成され、斜面２１ｆに配置された易破断部Ｇにキャップを取付けて紙容器２７が形成される。
【００３３】
このキャップ付紙容器の形状そのものは本出願人によって既に提案済みであるが、このように、製造工程の異なる紙容器本体２６に対しても第一の実施形態と同様に頂面２１ｇの斜面２１ｆが水平となるように紙容器本体２６を傾斜して搬送することで、キャップ３が水平状態の易破断部Ｇの所定位置にずれることがなく確実に安定して固定できる。
【００３４】
以上、本発明の実施例を図面に基づいて説明したが、具体的な構成はこの実施例に限られるものではなく本発明の要旨を逸脱しない範囲の設計変更等があっても本発明に含まれる。例えば、キャップ３の構成は開口用のプルタブを内蔵する構成に代えて開口用のスクリューを備える構成等々様々な構成のキャップに対しても適用可能である。開口予定部５３は紙基材を切除せず紙基材にミシン目を形成して切断容易としてもよい。紙容器本体１ａにバリヤー層１１ｄを備えない包材に適用することもできる。
【符号の説明】
【００３５】
１  紙容器
２  紙容器本体
２ｂ  頂面
２ｄ  傾斜面
３  キャップ
４  キャップアプリケーター
６  搬送コンベヤー
６ａ  集積コンベヤー
６ｃ  搬送コンベヤー
７  キャップ供給部
７ｃ  キャップ供給テーブル
７ｄ  供給ポケット
１１  キャップ取付位置
１２  キャップ取付手段
α  角度
Ｇ  易破断部
Ｇ１  頂面周縁
【図１】
2011184092.tif 000003
【図２】
2011184092.tif 000004
【図３】
2011184092.tif 000005
【図４】
2011184092.tif 000006
【図５】
2011184092.tif 000007
【図６】
2011184092.tif 000008
【図７】
2011184092.tif 000009
【図８】
2011184092.tif 000010
【図９】
2011184092.tif 000011